(57)【要約】【課題】簡単な構成で、かつ構成部品を少なくして、製造コストを減少することができる開閉検出機構を設けた画像形成装置を提供する。【解決手段】作動部材と、作動部材を付勢する弾性部材と、作動部材との当接により駆動される被駆動部材と第１駆動部材と、第２駆動部材と、第１腕部を押圧し、前記第１腕部の先端が前記第１駆動部材の駆動軌跡外にある退避位置から、前記第１駆動部材の駆動軌跡とオーバラップする作動位置に移動させる第３駆動部材を備え、前記第３駆動部材の駆動により前記作動レバーが前記作動位置にある状態で前記第１駆動部材を駆動すると、前記第１駆動部材が前記第１腕部と当接し、前記第２駆動部材が駆動すると、前記作動部材を押圧し前記第１駆動部材と前記第１腕部との当接部を支点に前記作動部材が回動して前記被駆動部材を駆動する。【選択図】図３
2010107782.tif 000002
【特許請求の範囲】
【請求項１】
軸と嵌合する長穴、該長穴から前記被駆動部材の方向に延びる第１腕部、及び前記長穴から前記第１腕部と反対方向に向かって延びる第２腕部を有する軸周りに回動可能な作動部材と、
該作動部材を付勢する弾性部材と、
前記作動部材との当接により駆動される被駆動部材と
第１駆動部材と、
第２駆動部材と、
前記第１腕部を押圧し、前記第１腕部の先端が前記第１駆動部材の駆動軌跡外にある退避位置から、前記第１駆動部材の駆動軌跡とオーバラップする作動位置に移動させる第３駆動部材を備え、
前記第３駆動部材の駆動により前記作動レバーが前記作動位置にある状態で前記第１駆動部材を駆動すると、前記第１駆動部材が前記第１腕部と当接し、前記第２駆動部材が駆動すると、前記作動部材を押圧し前記第１駆動部材と前記第１腕部との当接部を支点に前記作動部材が回動して前記被駆動部材を駆動することを特徴とする駆動装置。
【請求項２】
前記第３駆動部材の駆動により前記作動レバーが前記作動位置にある状態で前記第２駆動部材を駆動すると、前記第２駆動部材が前記第２腕部と当接し、前記第１駆動部材が駆動すると、前記作動部材を押圧し前記第２駆動部材と前記第２腕部との当接部を支点に前記作動部材が回動して前記被駆動部材を駆動することを特徴とする請求項１に記載の駆動装置。
【請求項３】
前記作動レバーの第１腕部が、前記弾性部材に連結されていることを特徴とする請求項１又は２に記載の検出機構を備えた駆動装置。
【請求項４】
前記被駆動部材を、前記第１腕部の近傍に設けたことを特徴とする請求項１から３のいずれかに記載の検出機構を備えた駆動装置。
【発明の詳細な説明】
【技術分野】
【０００１】
本発明は、所定の条件で駆動する駆動装置に関する。
【背景技術】
【０００２】
従来、開閉部材が本体に閉じられていない状態で本体の電源がオンして誤作動を起こすのを防止するために、開閉部材が本体に閉じられたか否かを検出する開閉検出機構を設けた画像形成装置が提案されてきた。
【０００３】
例えば、特許文献１には、１枚の外装カバーと２枚のドアカバーのうちの、どれか１つが開放するとインターロックスイッチがＯＦＦ状態になるインターロック装置を設けた画像形成装置が提案されている。
【０００４】
しかし、特許文献１に記載のインターロック装置では、構造が複雑で、かつ構成部品が多いため製造コストが増加するという問題があった。
【０００５】
【特許文献１】特開平１０−１６２６８４号公報
【発明の開示】
【発明が解決しようとする課題】
【０００６】
本発明は前記従来の問題点に鑑みてなされたもので、簡単な構成で、かつ構成部品を少なくして、製造コストを減少することができる検出機構を備えた駆動手段、およびこの駆動手段を設けた画像形成装置を提供することを課題とする。
【課題を解決するための手段】
【０００７】
前記課題を解決するための手段として本発明に係る検出機構を備えた駆動手段は、  軸と嵌合する長穴、該長穴から前記被駆動部材の方向に延びる第１腕部、及び前記長穴から前記第１腕部と反対方向に向かって延びる第２腕部を有する軸周りに回動可能な作動部材と、
該作動部材を付勢する弾性部材と、
前記作動部材との当接により駆動される被駆動部材と
第１駆動部材と、
第２駆動部材と、
前記第１腕部を押圧し、前記第１腕部の先端が前記第１駆動部材の駆動軌跡外にある退避位置から、前記第１駆動部材の駆動軌跡とオーバラップする作動位置に移動させる第３駆動部材を備え、
前記第３駆動部材の駆動により前記作動レバーが前記作動位置にある状態で前記第１駆動部材を駆動すると、前記第１駆動部材が前記第１腕部と当接し、前記第２駆動部材が駆動すると、前記作動部材を押圧し前記第１駆動部材と前記第１腕部との当接部を支点に前記作動部材が回動して前記被駆動部材を駆動するものである。
【０００８】
第３部材が、第１腕部を押圧し第１駆動部材の駆動軌跡とオーバラップする作動位置に移動させることで、第１駆動部材が駆動したことを検知することができる。
【０００９】
更に、作動部材と弾性部材と被駆動部材のみで、駆動部材の駆動を検出するので簡単かつ少ない部品点数で構成され、製造コストを減少することができる。
【００１０】
前記第３駆動部材の駆動により前記作動レバーが前記作動位置にある状態で前記第２駆動部材を駆動すると、前記第２駆動部材が前記第２腕部と当接し、前記第１駆動部材が駆動すると、前記作動部材を押圧し前記第２駆動部材と前記第２腕部との当接部を支点に前記作動部材が回動して前記被駆動部材を駆動することが好ましい。
【００１１】
これにより第１駆動部材と第２駆動部材との駆動順序に関わらず、これらの駆動を検出することができる。
【００１２】
具体的な１つの手段として、前記作動レバーの第１腕部が、前記弾性部材に連結されていることが好ましい。
【００１３】
前記安全スイッチを、前記第１腕部の近傍に設けたことが好ましい。
【発明の効果】
【００１４】
本発明の画像形成装置によれば、第１駆動部材と第２駆動部材との駆動順序に関わらず、これらの駆動を検出することができる。また、作動部材と弾性部材と被駆動部材のみで、駆動部材の駆動を検出するので簡単かつ少ない部品点数で構成され、製造コストを減少することができる。
【発明を実施するための最良の形態】
【００１５】
これより、本発明の実施形態について図面を参照しながら説明する。
図１に、本発明の１つの実施形態の画像形成装置１を示す。画像形成装置１は、本体２の内部に、それぞれ、シアン、マゼンタ、イエローおよびブラックのトナーを収容するトナーカートリッジ３を環状に保持する現像ロータリユニット４と、表面に静電潜像を形成できる回転可能な感光体５、感光体５を帯電させる帯電器６、１次転写ローラ７および１次転写ローラ７によって感光体５に形成した画像が転写される中間転写ベルト８を保持する第３駆動部材であるイメージングユニット９と、感光体５を露光する露光ユニット１０と、２次転写ローラ１１と、定着ユニット１２と、給紙ユニット１３とを備える。
【００１６】
イメージングユニット９は、感光体５、帯電器６および１次転写ローラ７を保持する感光体フレーム１４と、中間転写ベルト８を張架した張架ローラ１５，１６およびテンションローラ１７を保持する中間転写フレーム１８とからなる。感光体５は、中間転写ベルト８の外側に位置し、１次転写ローラ７は、中間転写ベルト８の内側に当接し、中間転写ベルト８を介して感光体５と１次転写ローラ７とが対向するように保持されている。
【００１７】
また、イメージングユニット９は、本体２の第１駆動部材である蓋１９を第１軸２０周りに開放して画像形成装置１に着脱できるようになっており、装着状態で、感光体５が現像ロータリユニット４のいずれかのトナーカートリッジ３と対向すると共に、張架ローラ１５が中間転写ベルト８を介して２次転写ローラ１１に圧接するようになっている。
【００１８】
図２に示すように、本体２の側面部２ｂには安全スイッチ２２（図３参照）をオン、またはオフする作動レバー２３が配置されている。作動レバー２３は図３に示すように、本体２に設けられた第３軸２４と嵌合する長穴２６と、長穴２６から蓋１９に向かって延びる第１腕部２７と、長穴２６から、本体正面２ａに設けられた第２軸２８ａ周りに回動する第２駆動部材である開閉カバー２８に向かって延びる第２腕部２９とからなる。作動レバー２３の第１腕部２７は、本体２のフレーム３１と第１腕部２７とを連結する弾性部材であるばね３２により、上方に付勢されている。これら、安全スイッチ２２、作動レバー２３、及びばね３２により開閉検出機構２５が構成されている。
【００１９】
また、作動レバー（作動部材）２３は本体２に設けられた第３軸２４周りに回動すると共に、長穴２６が第３軸２４に嵌合しつつ移動可能であるので、長穴２６の移動に従って作動レバー２３は移動することができる。
【００２０】
作動レバー２３の下側には被駆動部材である安全スイッチ２２が配置されている。安全スイッチ２２は公知のリミットスイッチである。また、安全スイッチ２２の上面には外方に向かって延びる当接片２２ａが設けられ、この当接片２２ａに作動レバー２３の長穴２６の下端が当接することで、安全スイッチ２２がオンされる。
【００２１】
次に作動レバー２３、及び安全スイッチ２２の動作を説明する。
図３に示すように、開閉カバー２８を開放すると共に本体２からイメージングユニット９を取り外した状態では、作動レバー２３の第１腕部２７がばね３２により上方に付勢されているので、作動レバー２３は第１軸２０（図１参照）周りに回動する蓋１９に設けた第１突起部であるリブ１９ａの回動軌跡外にある。また、長穴２６が安全スイッチ２２の当接片２２ａと対向するように位置している。作動レバー２３がリブ１９ａの回動軌跡外にあるので、本体２からイメージングユニット９を取り外した状態では、蓋体１９を第１軸２０周りに開閉しても作動レバー２３が回動して安全スイッチ２２をオンすることがないので、画像形成装置１の誤作動を防止することができる。
【００２２】
開閉カバー２２を開放したまま本体２にイメージングユニット９を装着すると、イメージングユニット９に設けた係合部であるリブ９ａと第１腕部２７の上面とが当接して、第１腕部２７を下方に押圧する。これにより、作動レバー２３の第１腕部２７が第３軸２４周りに下方に回動すると共に作動レバー２３全体が下方に移動し、図４に示すように第１腕部２７の端部がリブ１９ａの回動軌跡内に入る。従って、更に蓋１９を本体２に閉じると、図５に示すようにリブ１９ａの下縁面１９ｂが第１腕部２７の端部と当接して下方へ押圧し、作動レバー２３を第３軸２４周りに回動する。しかし、この状態では、長穴２６が安全スイッチ２２の当接片２２ａに当接していないので、開閉カバー２８が開放した状態で安全スイッチ２２をオンして、画像形成装置１が作動するのを防止することができる。
【００２３】
蓋１９を本体２に閉じた状態で開閉カバー２８を開放状態から閉じていくと、図６に示すように、開閉カバー２８に設けた第２突起部であるリブ２８ｂが作動レバー２３の第２腕部２９の端部と当接する。これにより、作動レバー２３はリブ１９ａの下縁面１９ｂに当接したまま、支点３５（図４参照）周りに第２腕部２９が下方に移動するように回動すると共に作動レバー全体２３が下方に移動することで、長穴２６の下端が当接片２２ａを押圧して安全スイッチ２２をオンする。安全スイッチ２２をオンすると、画像形成装置１はウォーミングアップを開始して、印字動作の準備段階に入る。
【００２４】
また、本体２にイメージングユニット９を装着し、蓋１９と開閉カバー２８を閉じた状態から、蓋１９または開閉カバー２８のいずれかを開放すると、作動レバー２３はばね３２により安全スイッチ２２と反対方向に付勢されているので、作動レバー２３が安全スイッチ２２から離れる方向に回動すると共に移動し、当接片２２ａとの係合を解除する。これにより安全スイッチ２２がオフし、印字動作が停止する。
【００２５】
前記実施形態では、蓋１９と開閉カバー２８を開放すると共に本体２からイメージングユニット９を取り外した状態からは、まずイメージングユニット９を本体２に装着し、次に蓋１９を本体２に閉じ、最後に開閉カバー２８を本体２に閉じたが、イメージングユニット９を本体２に装着した後、先に開閉カバー２８を本体２に閉じてから蓋１９を本体２に閉じても、前記と同様の効果が得られる。このとき開閉カバー２８を閉じた状態で作動レバー２３は支点３６（図７参照）周りに回動する。
【００２６】
開閉検出機構２５は、安全スイッチ２２、作動レバー２３、及びばね３２のみからなるので、簡単かつ少ない部品点数で構成され、製造コストを減少することができる。
【００２７】
なお、本発明は前記実施形態に限定されない。
【００２８】
作動レバー２３の形状に関しては、イメージングユニット９が装着されたことを検知し、かつ蓋１９、及び開閉カバー２８が本体２に閉じられたことを検知できる限り、前記実施形態に限定されない。例えば、作動レバー２３に設けられた長穴２６を本体２に設け、本体２に設けた第３軸２４を作動レバー２３に設ける形状も採用し得る。
【００２９】
ばね３２に関しては、作動レバー２３をリブ１９ａの回動軌跡外に付勢する限り前記実施形態に限定されない。例えば、作動レバー２３の第２腕部２９とフレーム３１とを連結する構成も採用し得る。
【図面の簡単な説明】
【００３０】
【図１】本発明の１つの実施形態の画像形成装置の概略図。
【図２】開閉検出機構を備えた図１の画像形成装置の部分破断斜視図。
【図３】図１のイメージングユニットを外した状態の蓋の回動軌跡と開閉検出機構の関係を示す部分拡大側面図。
【図４】図１のイメージングユニットを装着した状態の蓋の回動軌跡と開閉検出機構の関係を示す部分拡大側面図。
【図５】蓋を閉じた状態の図４の開閉検出機構を示す部分拡大断面図。
【図６】開閉カバーを閉じた状態の図５の開閉検出機構を示す部分拡大断面図。
【図７】イメージングユニット装着前に開閉カバーを閉じた状態の図３の開閉検出機構を示す部分拡大断面図。
【符号の説明】
【００３１】
１  画像形成装置
９  イメージングユニット（第３駆動部材）
９ａ  リブ（係合部）
１９  蓋（第１駆動部材）
１９ａ  リブ
２０  第１軸
２２  安全スイッチ（被駆動部材）
２３  作動レバー（作動部材）
２４  第３軸
２５  開閉検出機構
２６  長穴
２７  第１腕部
２８  開閉カバー（第２駆動部材）
２８ａ  第２軸
２８ｂ  リブ
２９  第２腕部
３２  ばね（弾性部材）
３５、３６  支点
【図１】
2010107782.tif 000003
【図２】
2010107782.tif 000004
【図３】
2010107782.tif 000005
【図４】
2010107782.tif 000006
【図５】
2010107782.tif 000007
【図６】
2010107782.tif 000008
【図７】
2010107782.tif 000009